(57)【特許請求の範囲】
【請求項１】
画像を表示する表示部を備えた撮像装置であって、
第１の設定時間で所定の機能を停止するオートパワーオフ機能と、撮影の直後に該撮影した画像を前記表示部に表示する画像確認機能と、を備え、
前記画像確認機能により画像を前記表示部に表示する表示時間を設定する設定手段と、
第２の設定時間で前記表示部を消灯する消灯手段と、
前記表示部を制御する表示制御手段と、を有し、
前記表示制御手段は、前記オートパワーオフ機能がオフに設定され、かつ前記撮影した画像を表示する前記表示部を消灯しないように前記設定手段により表示時間を設定した場合であっても、前記画像確認機能による前記表示部への画像の表示開始から前記第２の設定時間が経過すると前記表示部を消灯するように、前記表示部を制御することを特徴とする撮像装置。
【請求項２】
画像を表示する表示部を備えた撮像装置の制御方法であって、
第１の設定時間で所定の機能を停止するオートパワーオフ機能と、撮影の直後に該撮影した画像を前記表示部に表示する画像確認機能と、を備え、
前記画像確認機能により画像を前記表示部に表示する表示時間を設定する設定工程と、
第２の設定時間で前記表示部を消灯する消灯工程と、
前記表示部を制御する表示制御工程と、を有し、
前記表示制御工程は、前記オートパワーオフ機能がオフに設定され、かつ前記撮影した画像を表示する前記表示部を消灯しないように前記設定工程により表示時間を設定した場合であっても、前記画像確認機能による前記表示部への画像の表示開始から前記第２の設定時間が経過すると前記表示部を消灯するように、前記表示部を制御することを特徴とする撮像装置の制御方法。
【発明の詳細な説明】
【０００１】
【発明の属する技術分野】
本発明は、デジタルカメラ（デジタルビデオカメラを含む）等の撮像装置及びその制御方法に関するものである。
【０００２】
【従来の技術】
近年、画像信号をデジタル信号に変換して半導体メモリカード等の記録媒体に記録するデジタルカメラが多数販売されている。このデジタルカメラは、撮影した画像をＴＦＴなどを用いた表示部分に即座に表示することで撮影画像の確認（クイックレビュー）が容易に行なえるようになっている。
【０００３】
上記クイックレビューは大概の場合、ＴＦＴなどを用いた表示部への表示時間をデジタルカメラの操作部で設定できるようになっている。また、その表示時間は秒単位から最長で消灯しないまでの設定範囲が設けられている。そして撮影者は、撮影後に画像処理された画像が表示部に表示されることで撮影時の撮影画像の確認が可能である。
【０００４】
上記表示部は、設定された表示時間が経つと消灯するようになっている。しかし、クイックレビューの設定時間が消灯しないに設定されている場合は、撮影系の操作がなされるか、あるいはオートパワーオフ機能により本体が節電モードに入るまで消灯しない。
【０００５】
オートパワーオフ機能は、通常装置本体の操作がなされない時間が一定時間（オートパワーオフ設定時間）経過したときに有効になるようになっている。
【０００６】
【発明が解決しようとする課題】
上記のような従来の撮像装置にあっては、オートパワーオフ動作を禁止にしていてかつ、クイックレビュー機能に対してクイックレビュー表示後消灯しないように設定した場合、そのまま装置本体を放置すると、誰も画像を確認していないのにＴＦＴなどを用いた表示部に画像が表示され続けるので、通常より電力を消費してしまうという問題があった。
【０００７】
また、操作部からの操作により表示部を点灯させて、その表示画面の中のメニューから各種設定項目を選択して設定する場合でも、設定後にそのまま放置しておくと、オートパワーオフなどの節電モードに移行するまで消灯するタイミングがないので、同様に電力を消費してしまうという問題があった。
【０００８】
本発明は、上記のような問題点に着目してなされたもので、オートパワーオフ動作を禁止にしていてかつ、クイックレビュー表示後消灯しないように設定した場合に電力消費を減らすことが可能な撮像装置及びその制御方法を提供することを目的としている。
【０００９】
本発明に係る撮像装置及びその制御方法は、次のように構成したものである。
（１）画像を表示する表示部を備えた撮像装置であって、第１の設定時間で所定の機能を停止するオートパワーオフ機能と、撮影の直後に該撮影した画像を前記表示部に表示する画像確認機能と、を備え、前記画像確認機能により画像を前記表示部に表示する表示時間を設定する設定手段と、第２の設定時間で前記表示部を消灯する消灯手段と、前記表示部を制御する表示制御手段と、を有し、前記表示制御手段は、前記オートパワーオフ機能がオフに設定され、かつ前記撮影した画像を表示する前記表示部を消灯しないように前記設定手段により表示時間を設定した場合であっても、前記画像確認機能による前記表示部への画像の表示開始から前記第２の設定時間が経過すると前記表示部を消灯するように、前記表示部を制御する撮像装置。
【００１８】
【発明の実施の形態】
以下、本発明の実施例を図面について説明する。
【００１９】
図１は本発明の実施例によるデジタルカメラの概略構成を示すブロック図である。
【００２０】
このデジタルカメラは、被写体を撮影する撮像部１と、撮像部１からのデジタルデータ（撮像データ）を蓄積するバッファ（前バッファ）２と、バッファ２に蓄積された撮像データを処理する画像処理部３と、画像処理部３で処理された画像を蓄積するバッファ（後バッファ）４と、バッファ４に蓄積された画像を記憶する半導体メモリ等の記録部５と、画像表示あるいは設定項目表示をする表示部６と、表示部６を制御する表示制御部７と、本デジタルカメラのシステム全体を制御するシステム制御部８と、撮影操作あるいはその他の制御操作を行なう操作部９から構成されている。
【００２１】
上記のデジタルカメラにおいて、本実施例では、第１の設定時間で所定の機能（一部または全ての機能）をオフ（停止）するオートパワーオフ機能と、クイックレビュー機能（撮影時の画像確認機能）と、第２の設定時間で表示部６を消灯させる消灯機能と、カメラ本体（装置本体）等の各種設定項目を表示部６に表示する機能及びその表示部６でカメラ本体の各種設定を選択可能にする選択機能を有している。
【００２２】
そして表示制御部７は、上記第１の設定時間を基に第２の設定時間を決定し、該第２の設定時間によって表示部６を消灯させるように制御する。本実施例の表示制御部７は、第１の設定時間を基に第２の設定時間を計算する計算機能と、計算した第２の設定時間を計測する計測機能を有し、該計測した第２の設定時間で表示部６を消灯させるように制御する。
【００２３】
また、操作部９は、上述のカメラ本体の各種設定項目を選択する選択機能と、クイックレビュー機能の動作を選択する選択機能と、クイックレビュー機能により表示部６に表示させる表示時間を設定する設定機能を有している。そして、操作部９の操作により表示部６が点灯されて放置された場合に、オートパワーオフ機能とは独立して表示部６を消灯させるようにし、更に、クイックレビュー機能の動作が可能なときで撮影動作後に表示部６に撮影画像を表示し、その後放置されて表示部６が表示し続けている場合にも、オートパワーオフとは独立して表示部６を消灯させるようにしている。
【００２４】
したがって、本実施例では、クイックレビュー表示後消灯しないように設定した場合や、各種設定項目の設定後にそのまま放置した場合などでも発生する電力消費を減らすことが可能となる。
【００２５】
次に、図２のフローチャートを用いて本実施例の表示部消灯時間の計算処理について説明する。このフローチャート及び後述する図３、図４のフローチャートに示す制御処理は、図１のシステム制御部８のＣＰＵにより予め記憶されたプログラムに従って実行されるものである。
【００２６】
操作部９での操作により、ＴＦＴなどを用いた表示部６にカメラ本体の設定画面を表示する。そして、操作部９の操作釦やダイヤルを操作することで（ステップＳ１）、第１の時間（設定時間）を選択することができる。第１の時間が操作部９により選択され、オートパワーオフ機能が設定（ＯＮ）されると（ステップＳ２）、システム制御部７は第１の時間をそのカメラのオートパワーオフが動作する時間としてセットする（ステップＳ３）。その際、システム制御部７は表示制御部６に対して第１の時間を通知する。
【００２７】
次いで、クイックレビュー機能が設定され（ステップＳ４）、クイックレビュー表示時間が選択されると（ステップＳ５）、表示制御部７は通知された第１の時間から表示部６が継続的に表示可能な時間（カメラ本体に操作がなされず放置された場合に強制的に消灯させる時間）である第２の時間（設定時間）を計算する（ステップＳ６）。これが表示部６の消灯時間となり、この第２の時間は表示制御部７で保持される（ステップＳ７）。
【００２８】
上記の第２の時間は計算でなく、第１の時間と第２の時間に関するテーブルを用意しておき、このテーブルから第２の時間を選択して決定するようにしても良い。
【００２９】
例えば、第１の時間の選択項目に１分、２分、４分、８分、オートパワーオフ機能を使用しない項目がある場合、表示部６の第２の時間をそれぞれ３０秒、１分、２分、２分、１５分と対応させるテーブルを用意する。この第２の時間はクイックレビューの表示時間（表示時間の中の表示を消さないを除く）の最長の時間よりも十分長く、かつ選択された第１の時間よりも短く設定する。また、第２の時間は操作部９の操作で第１の時間が変更される毎に再計算される。
【００３０】
ここで、本デジタルカメラは、カメラ動作において表示部６が継続的に表示され続けるとき、オートパワーオフ動作する第１の時間が経過するよりも早く、第２の時間が経過した時点で表示部６を消灯させるようにしている。
【００３１】
図３は本実施例の操作釦押下時の表示部消灯制御処理を示すフローチャートである。
【００３２】
操作部９はカメラ本体のパラメータ等を選択するために使用される。この操作部９の操作釦の操作により（ステップＳ１１）、表示部６が点灯された場合（ステップＳ１２）、表示制御部７は点灯と同時に第２の時間の計測を開始する（ステップＳ１３）。また、目的の操作部９による操作が終了すると、システム制御部８は操作終了を表示制御部７に通知する。表示操作部７は、撮影系の操作などにより表示部６の消灯通知をシステム制御部８より通知されるまで、表示部６の表示中状態を保持する。
【００３３】
上記第２の時間の計測開始から消灯時間が経過すると（ステップＳ１４）、表示制御部７は表示部６を強制的に消灯させる（ステップＳ１５）。
【００３４】
図４は本実施例のクイックレビュー時の表示部消灯制御処理を示すフローチャートである。
【００３５】
操作部９でクイックレビュー機能を有効にした場合（ステップＳ４、Ｓ２１）、撮像部１で撮影された撮影データはバッファ２に蓄積され、画像処理部３で画像処理された後、バッファ４に蓄積され、その後表示部６に表示される（ステップＳ２２）。そして、第２の時間の計測が開始される（ステップ２３）。
【００３６】
クイックレビューの表示時間が短い場合は（ステップＳ５）、クイックレビューの表示時間が経過すると表示部６は消灯される（ステップＳ２４）。しかし、操作部９によってカメラ本体の何らかの設定を選択するための目的で表示部６を点灯させ、その点灯時間が継続的に長い場合、言い換えるとオートパワーオフ動作によってのみ消灯するような場合は、第２の時間が経過すると（ステップＳ２５）、強制的にオートパワーオフよりも早い時間で表示部６を消灯させ（ステップＳ２６）、節電に入る。
【００３７】
また、クイックレビュー機能に限定すると、表示制御部７は予め設定されている第１の時間の設定値より第２の時間を決定しており、表示制御部７はクイックレビュー表示と同時に第２の時間の計測を開始する（ステップＳ２３）。そして、第２の時間が経過した時点で（ステップＳ２５）、強制的に表示部６を消灯させる（ステップＳ２６）。
【００３８】
クイックレビューの表示時間が操作部９の操作によって消灯しないを選択され（ステップＳ４）、かつオートパワーオフ機能を選択しないを操作部９の操作によって選択されている場合は（ステップＳ２）、従来ではクイックレビュー機能による表示部６の表示を消灯させるタイミングがないので表示部６は表示し続けることになる。
【００３９】
しかし、本実施例では上記条件が選択された場合、表示制御部７はクイックレビューにより表示部６が点灯した時点で（ステップＳ２２）、第２の時間（上記の例では１５分）の計測を開始し（ステップＳ２３）、第２の時間が経過した時点で（ステップＳ２４）で、表示部６を消灯させて節電する（ステップＳ２６）。
【００４０】
このように、本実施例では、操作部９によりオートパワーオフの時間やカメラ本体の機能選択が可能であり、操作部９で選択された情報は、システム制御部８によりカメラ本体の設定値として設定されるとともに、各制御部に情報が通知される。本実施例の場合、操作部９の操作によりオートパワーオフの時間が設定されると、表示制御部７は設定されたオートパワーオフの時間に基づいてＴＦＴなどの表示部６へ表示する表示時間を計算し、表示部６の点灯開始から時間の計測を行なう。
【００４１】
そして表示時間が経過すると、表示制御部７は表示部６を消灯させる。その際、クイックレビューでの表示時間（表示時間の設定で消灯しないを除く）よりも長く、オートパワーオフよりも短い時間を設定することで、カメラ本体を実際に触っていない放置状態のときにＴＦＴなどの表示部６が点灯し続けることを回避することができ、これにより節電を行なうことができる。
【００４２】
また、カメラを放置している状況でオートパワーオフ時間が経過し、節電モードに移行して始めて表示部６が消灯されることで、発生する電力消費を減らすことが可能となる。
【００４３】
【発明の効果】
以上説明したように、本発明によれば、オートパワーオフ動作を禁止にしていてかつ、クイックレビュー表示後消灯しないように設定した場合に電力消費を減らすことが可能となる。
【図面の簡単な説明】
【図１】  本発明の実施例のデジタルカメラの概略構成を示すブロック図
【図２】  実施例の表示部消灯時間の計算処理を示すフローチャート
【図３】  実施例の操作釦押下時の表示部消灯制御を示すフローチャート
【図４】  実施例のクイックレビュー時の表示部消灯制御を示すフローチャート
【符号の説明】
１  撮像部
２  バッファ（前バッファ）
３  画像処理部
４  バッファ（後バッファ）
５  記録部
６  表示部
７  表示制御部
８  システム制御部
９  操作部
【図１】
0004759190.tif 000002
【図２】
0004759190.tif 000003
【図３】
0004759190.tif 000004
【図４】
0004759190.tif 000005